(57)【要約】【課題】効果的な消費電力の低減を実現する。【解決手段】表示パネル３００への表示出力動作をおこなう画像データ出力部２００は、第１の動作系統と第２の動作系統を有している。このような画像データ出力部２００を備える携帯型電子機器において省電力モードに移行すると、画像データ出力部２００全体の動作を停止する。この状態で、携帯型電子機器が所定の状態となると、第２の動作系統のみを動作させ、アイコン画像などの低解像度の画像データが表示メモリ２３０に展開される。このとき、選択部２６０は、背景色を指定する背景色情報を選択する。合成部２７０は、選択部２６０が選択した背景色情報と、第２の動作系統からのアイコン画像データを合成して１画面分の画像データを生成する。これにより、画面全体が非表示となっている状態から、アイコン画像と背景色のみが表示される状態に移行し、効果的な消費電力の低減を図ることができる。【選択図】図３
2008060815.tif 000002
【特許請求の範囲】
【請求項１】
所定の解像度に適合する第１の画像データについての出力動作をおこなう第１の動作系統と、前記所定の解像度よりも低い解像度に適合する第２の画像データについての出力動作をおこなう第２の動作系統と、を含み、各動作系統からの画像データを合成して出力する画像データ出力装置を備えた携帯型電子機器において、
前記携帯型電子機器の状態に応じて動作させる動作系統を選択し、選択した動作系統が動作するよう前記画像データ出力装置を制御する制御手段を備える、
ことを特徴とする携帯型電子機器。
【請求項２】
前記携帯型電子機器の状態を判別する少なくとも一つの条件を示す条件情報を記憶する記憶手段をさらに備え、
前記制御手段は、前記携帯型電子機器の状態が前記条件情報に示される状態となった場合、いずれかの前記動作系統のみが動作するよう前記画像データ出力装置を制御する、
ことを特徴とする請求項１に記載の携帯型電子機器。
【請求項３】
前記携帯型電子機器に生じた加速度を検出するセンサをさらに備え、
前記制御手段は、該センサの検出結果に基づいて、前記携帯型電子機器が前記条件情報に示される状態となったか否かを判別する、
ことを特徴とする請求項２に記載の携帯型電子機器。
【請求項４】
前記携帯型電子機器の周囲の明るさを検出するセンサをさらに備え、
前記制御手段は、該センサの検出結果に基づいて、前記携帯型電子機器が前記条件情報に示される状態となったか否かを判別する、
ことを特徴とする請求項２または３に記載の携帯型電子機器。
【請求項５】
前記制御手段は、いずれかの前記動作系統のみが動作するよう前記画像データ出力装置を制御した後に、前記携帯型電子機器が前記条件情報に示される状態になった場合、他方の前記動作系統も動作するよう制御する、
ことを特徴とする請求項１乃至４のいずれか１項に記載の携帯型電子機器。
【請求項６】
前記各動作系統は、画像メモリに画像データを展開するライト手段、前記画像メモリに展開された画像データを読み出すリード手段、読み出した画像データを加工する加工手段、から構成される、
ことを特徴とする請求項１乃至５のいずれか１項に記載の携帯型電子機器。
【請求項７】
前記画像データ出力装置は、
前記第１の動作系統から出力される第１の画像データと、背景色を指定する背景色情報のいずれかを選択し、選択した一方と前記第２の画像データとを合成する選択手段をさらに備え、
前記選択手段は、
前記第１の動作系統が動作していない場合は、前記背景色情報を選択し、
前記第１の動作系統が動作している場合は、前記第１の画像データを選択する、
ことを特徴とする請求項６に記載の携帯型電子機器。
【請求項８】
前記携帯型電子機器は、移動体通信端末である、
ことを特徴とする請求項１乃至７のいずれか１項に記載の携帯型電子機器。
【請求項９】
所定の解像度に適合する第１の画像データについての出力動作をおこなう第１の動作系統と、
前記所定の解像度よりも低い解像度に適合する第２の画像データについての出力動作をおこなう第２の動作系統と、
前記各動作系統からの画像データを合成する合成手段と、
前記合成手段が合成した画像データを出力する出力手段と、を備え、
所定の条件に応じて前記第１の動作系統と前記第２の動作系統とを独立に動作させる、
ことを特徴とする画像データ出力装置。
【請求項１０】
所定の解像度に適合する第１の画像データについての出力動作をおこなう第１の動作系統と、前記所定の解像度よりも低い解像度に適合する第２の画像データについての出力動作をおこなう第２の動作系統と、を含み、各動作系統からの画像データを合成して出力する画像データ出力装置を備えた携帯型電子機器を制御するコンピュータに、
前記携帯型電子機器の状態に応じて動作させる動作系統を選択し、選択した動作系統が動作するよう前記画像データ出力装置を制御する機能を実現させる、
ことを特徴とするプログラム。
【発明の詳細な説明】
【技術分野】
【０００１】
本発明は、携帯型電子機器、画像データ出力装置、および、プログラムに関し、特に、低消費電力化に好適な携帯型電子機器、画像データ出力装置、および、プログラムに関する。
【背景技術】
【０００２】
携帯型小型電子機器、例えば携帯電話などの移動体通信端末には、液晶表示装置などの表示装置が備えられていることが一般的であり、このような表示装置によって種々の画像が表示される。近時では、高精細な動画像表示などの需要も高く、携帯型電子機器における表示装置の高性能化が進んでいる。これにより、高輝度・高解像度の表示が可能となっている一方、表示装置における電力消費が高くなるので、バッテリによって駆動する携帯型電子機器では問題となる。
【０００３】
よって、表示装置における消費電力を低減させるための手法も提案されている。例えば、特許文献１では、表示状態とする領域の位置や面積、表示内容などを時間間隔で変化させることで、表示動作にかかる消費電力の低減を図っている。
【特許文献１】特開２０００−１１２４３５号公報
【発明の開示】
【発明が解決しようとする課題】
【０００４】
一方で、表示装置の高性能化に伴う高精細化により、例えば、ＶＧＡ（４８０×６４０）の解像度で表示できる表示装置が搭載されるようになっている。ＶＧＡなどのような高精細な画面表示では、制御部の処理量が多くなるので、消費電力の増加や表示速度の低下などが起こりうる。
【０００５】
また、高精細パネルの表示能力を活かすためには、その解像度に応じた画面表示をおこなう必要があるが、すべての画面を高解像度化させることは困難であり、従来の低位の解像度（例えば、ＱＶＧＡ（２４０×３２０）など）に対応した画面を流用する場合も多い。
【０００６】
よって、移動体通信端末で表示する画面の画像データには、ＶＧＡなどの高解像度データと、ＱＶＧＡなどの低解像度データが混在することがある。このような場合、解像度（サイズ）の異なる画像データをそれぞれ処理した上で合成して表示することが考えられるが、特許文献１などの従来技術では、このような合成表示を考慮していないので、効果的に消費電力を低減することができない。
【０００７】
本発明は、上記実状に鑑みてなされたものであり、画像表示にかかる消費電力のより効果的な低減を可能にする携帯型電子機器、画像出力装置、および、プログラムを提供することを目的とする。
【課題を解決するための手段】
【０００８】
上記目的を達成するため、本発明の第１の観点に係る携帯型電子機器は、
所定の解像度に適合する第１の画像データについての出力動作をおこなう第１の動作系統と、前記所定の解像度よりも低い解像度に適合する第２の画像データについての出力動作をおこなう第２の動作系統と、を含み、各動作系統からの画像データを合成して出力する画像データ出力装置を備えた携帯型電子機器において、
前記携帯型電子機器の状態に応じて動作させる動作系統を選択し、選択した動作系統が動作するよう前記画像データ出力装置を制御する制御手段を備える、
ことを特徴とする。
【０００９】
上記携帯型電子機器は、
前記携帯型電子機器の状態を判別する少なくとも一つの条件を示す条件情報を記憶する記憶手段をさらに備えていることが望ましく、この場合、
前記制御手段は、前記携帯型電子機器の状態が前記条件情報に示される状態となった場合、いずれかの前記動作系統のみが動作するよう前記画像データ出力装置を制御することが望ましい。
【００１０】
上記携帯型電子機器は、
前記携帯型電子機器に生じた加速度を検出するセンサをさらに備えていることが望ましく、この場合、
前記制御手段は、該センサの検出結果に基づいて、前記携帯型電子機器が前記条件情報に示される状態となったか否かを判別することが望ましい。
【００１１】
上記携帯型電子機器は、
前記携帯型電子機器の周囲の明るさを検出するセンサをさらに備えていてもよく、この場合、
前記制御手段は、該センサの検出結果に基づいて、前記携帯型電子機器が前記条件情報に示される状態となったか否かを判別することが望ましい。
【００１２】
上記携帯型電子機器において、
前記制御手段は、いずれかの前記動作系統のみが動作するよう前記画像データ出力装置を制御した後に、前記携帯型電子機器が前記条件情報に示される状態になった場合、他方の前記動作系統も動作するよう制御することが望ましい。
【００１３】
上記携帯型電子機器において、
前記各動作系統は、画像メモリに画像データを展開するライト手段、前記画像メモリに展開された画像データを読み出すリード手段、読み出した画像データを加工する加工手段、から構成されているものとすることができる。
【００１４】
上記携帯型電子機器において、
前記画像データ出力装置は、
前記第１の動作系統から出力される第１の画像データと、背景色を指定する背景色情報のいずれかを選択し、選択した一方と前記第２の画像データとを合成する選択手段をさらに備えていることが望ましく、この場合、
前記選択手段は、
前記第１の動作系統が動作していない場合は、前記背景色情報を選択し、
前記第１の動作系統が動作している場合は、前記第１の画像データを選択することが望ましい。
【００１５】
上記携帯型電子機器は、移動体通信端末であることが望ましい。
【００１６】
上記目的を達成するため、本発明の第２の観点にかかる画像データ出力装置は、
所定の解像度に適合する第１の画像データについての出力動作をおこなう第１の動作系統と、
前記所定の解像度よりも低い解像度に適合する第２の画像データについての出力動作をおこなう第２の動作系統と、
前記各動作系統からの画像データを合成する合成手段と、
前記合成手段が合成した画像データを出力する出力手段と、を備え、
所定の条件に応じて前記第１の動作系統と前記第２の動作系統とを独立に動作させる、
ことを特徴とする。
【００１７】
上記目的を達成するため、本発明の第３の観点にかかるプログラムは、
所定の解像度に適合する第１の画像データについての出力動作をおこなう第１の動作系統と、前記所定の解像度よりも低い解像度に適合する第２の画像データについての出力動作をおこなう第２の動作系統と、を含み、各動作系統からの画像データを合成して出力する画像データ出力装置を備えた携帯型電子機器を制御するコンピュータに、
前記携帯型電子機器の状態に応じて動作させる動作系統を選択し、選択した動作系統が動作するよう前記画像データ出力装置を制御する機能を実現させる、
ことを特徴とする。
【発明の効果】
【００１８】
本発明によれば、画像データ出力にかかる動作系統を選択して動作させるので、効果的な消費電力低減を図ることができる。
【発明を実施するための最良の形態】
【００１９】
以下、本発明にかかる実施形態を、図面を参照して説明する。本実施形態では、本発明にかかる携帯型電子機器を移動体通信端末によって構成した場合を説明する。本実施形態にかかる移動体通信端末１は、例えば、携帯電話やＰＨＳ（Personal Handyphone System）等といった移動体通信用の端末装置（電話機）である。
【００２０】
このような移動体通信端末１の構成を、図１を参照して説明する。図１は、本発明の実施形態に係る移動体通信端末１の構成例を示すブロック図である。図示するように、本実施形態にかかる移動体通信端末１は、通信制御部１０、音声処理部２０、操作部３０、センサ部４０、記憶部５０、ホストコントローラ１００、画像データ出力部２００、などから構成されている。
【００２１】
通信制御部１０は、移動体通信端末１の基本機能である通信機能にかかる動作をおこなうものであり、例えば、ＣＤＭＡ（Code Division Multiple Access：符号分割多重接続）方式などの通信方式を用いた通信装置などで構成され、当該通信方式に対応したアンテナ１１による無線送受信をおこなうことで、近傍の基地局と無線通信をおこなう。
【００２２】
音声処理部２０は、例えば、音声処理をおこなうコーデック回路などを備え、音声通話にかかる音声処理をおこなう。すなわち、受信した音声データをアナログ信号に変換してスピーカ２１から出力する他、マイクロフォン２２から入力された送話音声をデジタルデータに変換して送信に供する。
【００２３】
操作部３０は、例えば十字カーソルキーや、数字や文字を入力するための英数字キー、機能などを指定するためのキー等から構成され、移動体通信端末１のユーザによって操作されるものである。操作部３０は、これらのキーが操作されることに応じた入力信号を生成してホストコントローラ１００に入力する。
【００２４】
センサ部４０は、例えば、移動体通信端末１に生じた加速度を検出するセンサ（加速度センサ）や移動体通信端末１の周囲の明るさを検出するセンサ（光センサ）などから構成され、移動体通信端末１の状態を検出する。センサ部４０は、構成するセンサの検出結果を示す信号をホストコントローラ１００に入力する。
【００２５】
記憶部５０は、例えば、ＲＯＭ（Read Only Memory）やフラッシュメモリなどから構成され、ホストコントローラ１００などがおこなう処理に必要なデータやこれらによる処理結果などを記憶する。また、記憶部５０は、ホストコントローラ１００が実行するプログラムを格納する。本実施形態では、図１に示すように、高解像度画像格納領域５１、低解像度画像格納領域５２、背景色情報格納領域５３、設定情報格納部５４、プログラム格納領域５５、などの記憶領域が用意される。
【００２６】
高解像度画像格納領域５１は、表示パネル３００に表示させる画像データのうち、所定の解像度（例えば、ＶＧＡ）での表示に適合したサイズの画像データ（第１の画像データ）を格納する領域である。本実施形態では、第１の画像データの例として、写真画像やグラフィック画像などを示す画像データが含まれているものとする。
【００２７】
低解像度画像格納領域５２は、表示パネル３００に表示させる画像データのうち、第１の画像データが適合する解像度よりも低い解像度（例えば、ＱＶＧＡ）での表示に適合したサイズの画像データ（第２の画像データ）を格納する領域である。本実施形態では、第２の画像データの例として、アイコン画像（時計表示、バッテリ残量表示、受信強度表示などを含む）などを示す画像データが含まれているものとする。
【００２８】
背景色情報格納領域５３は、表示画面の背景色を指定する情報（例えば、ＲＧＢ情報）を格納する。本実施形態では、例えば、１色の背景画像を表示する場合の表示色を指定する情報が背景色情報格納領域５３に格納される。
【００２９】
設定情報格納部５４は、移動体通信端末１の表示動作に関する設定情報を格納する。
【００３０】
プログラム格納領域５５は、ホストコントローラ１００が実行する動作プログラムを格納する。
【００３１】
ホストコントローラ１００は、例えば、ＣＰＵ（Central Processing Unit：中央演算処理装置）やＲＡＭ（Random Access Memory）などから構成されており、移動体通信端末１の各部の動作を制御する。本実施形態では、ホストコントローラ１００が、プログラム格納領域５５に格納されている動作プログラムを実行することで、後述する各処理が実現される。なお、ホストコントローラ１００に構成されるＲＡＭは、ＣＰＵがプログラムを実行する際、ワークメモリとして用いられる。
【００３２】
本実施形態では、プログラム格納領域５５に格納されているプログラムをホストコントローラ１００が実行することで、移動体通信端末１の表示動作にかかる制御をおこなうための構成として機能する。より具体的には、図２に示すような各構成として機能する。すなわち、ホストコントローラ１００は、省電力モード処理部１１１、状態判別部１１２、出力動作判別部１１３、出力画像選択部１１４、出力装置制御部１１５、などとして機能する。
【００３３】
省電力モード処理部１１１は、移動体通信端末１の消費電力低減を図るために設けられている省電力モードの設定をおこなうものとする。この省電力モードは、例えば、移動体通信端末１が操作されない時間が所定時間経過した場合に、表示動作の停止などをおこなうモードであるものとする。よって、省電力モード処理部１１１は、操作部３０との協働により、ユーザ操作に基づいた、省電力モードの設定をおこなう。この場合、省電力モード処理部１１１は、設定内容を示す情報（以下、「モード設定情報」とする）を、記憶部５０の設定情報格納部５４に格納する。また、省電力モードを有効とするよう設定した場合、省電力モード処理部１１１は、画像データ出力部２００を制御して表示動作を停止させ、省電力モードに移行させる。
【００３４】
状態判別部１１２は、センサ部４０との協働により、移動体通信端末１の状態を判別する。センサ部４０が加速度センサから構成されている場合は、センサ部４０から入力された検出結果に基づいて、移動体通信端末１に一定以上の加速度が生じたか否かを判別する。また、センサ部４０が光センサから構成されている場合は、センサ部４０から入力された検出結果に基づいて、移動体通信端末１の周囲が一定以上の明るさとなったか否かを判別する。
【００３５】
また、状態判別部１１２は、省電力モード処理部１１１からの入力に基づいて、移動体通信端末１がユーザによって操作された状態であるか否かを判別する。この場合、操作部３０からの入力信号が省電力モード処理部１１１を介して状態判別部１１２に入力されることで、操作部３０が操作されたか否かを判別する。
【００３６】
出力動作判別部１１３は、省電力モード処理部１１１による省電力モードの設定と状態判別部１１２の判別結果に基づき、その時点でおこなうべき表示出力動作を判別する。この場合、出力動作判別部１１３は、設定情報格納部５４に格納されている設定情報に基づいて、おこなうべき表示出力動作を判別する。
【００３７】
出力画像選択部１１４は、出力動作判別部１１３の判別結果に基づき、表示すべき画像を選択して出力装置制御部１１５に通知する。
【００３８】
出力装置制御部１１５は、出力画像選択部１１４の判別結果に基づき、表示すべき画像の表示動作をおこなうための動作系統を選択し、選択した動作系統で動作するよう画像データ出力部２００を制御する。ここで、画像データ出力部２００に表示動作をおこなわせる場合は、出力画像選択部１１４から通知された画像データを記憶部５０から取得して画像データ出力部２００に送出し、当該画像データを表示させるよう画像データ出力部２００を制御する。
【００３９】
本実施形態では、ホストコントローラ１００がプログラムを実行することで、図２に示した各構成が論理的に実現されるものとするが、これに限られず、例えば、ＡＳＩＣ（Application Specific Integrated Circuit：特定用途向け集積回路）などのハードウェアによって図２に示した各構成を実現してもよい。
【００４０】
画像データ出力部２００は、ホストコントローラ１００からの出力信号を処理し、表示パネル３００を制御することで画像表示をおこなうための構成である。本実施形態にかかる画像データ出力部２００は、図３に示すような構成を有している。
【００４１】
図示するように、画像データ出力部２００は、ホストインタフェース（Ｉ／Ｆ）２１０、第１のライト部２２１、第２のライト部２２２、表示メモリ２３０、第１のリード部２４１、第２のリード部２４２、第１の加工部２５１、第２の加工部２５２、選択部２６０、合成部２７０、パネル駆動部２８０、などから構成される。
【００４２】
ホストインタフェース２１０は、画像データ出力部２００とホストコントローラ１００とを電気的に接続するインタフェースであり、ホストコントローラ１００から送出される表示対象の画像データや制御信号を受け付ける。
【００４３】
第１のライト部２２１および第２のライト部２２２は、ホストコントローラ１００から取得した画像データの表示メモリ２３０への書き込み（展開）を制御する。ここで、第１のライト部２２１は、第１の画像データ（高解像度データ）の書き込み動作をおこない、第２のライト部２２２は、第２の画像データ（低解像度データ）の書き込み動作をおこなう。
【００４４】
表示メモリ２３０は、表示パネル３００に表示する画像データを展開するためのメモリ（いわゆるＶＲＡＭ（Video RAM））である。
【００４５】
第１のリード部２４１および第２のリード部２４２は、表示メモリ２３０に展開された画像データの読み出し（出力）を制御する。ここで、第１のリード部２４１は、第１の画像データ（高解像度データ）の読み出し動作をおこない、第２のリード部２４２は、第２の画像データ（低解像度データ）の読み出し動作をおこなう。
【００４６】
第１の加工部２５１は、第１のリード部２４１が読み出した第１の画像データ（高解像度データ）を、表示パネル３００の表示性能に合うよう加工（拡大、縮小、補正、など）する。例えば、表示パネル３００の表示解像度が第１の画像データが適合する解像度よりも低い場合（例えば、表示パネル３００の表示解像度がＱＶＧＡで、第１の画像データがＶＧＡに適合している場合など）、第１のリード部２４１が読み出した第１の画像データを、表示パネル３００のパネルサイズに合わせて縮小する加工をおこなう。なお、第１の加工部２５１による動作には等倍加工（×１）が含まれるものとする。
【００４７】
第２の加工部２５２は、第２のリード部２４２が読み出した第２の画像データ（低解像度データ）を、表示パネル３００の表示性能に合うよう加工（拡大、縮小、補正、など）する。例えば、表示パネル３００の表示解像度が第２の画像データが適合する解像度よりも高い場合（例えば、表示パネル３００の表示解像度がＶＧＡで、第２の画像データがＱＶＧＡに対応している場合など）、第２のリード部２４２が読み出した第２の画像データを、表示パネル３００のパネルサイズに合わせて拡大する加工をおこなう。
【００４８】
ここまでが、画像データを展開して加工するための構成であるが、対象とする画像データのサイズに応じて２つの動作系統が用意されている。すなわち、第１の画像データ（高解像度データ）を処理対象としている第１のライト部２２１、第１のリード部２４１、第１の加工部２５１、を含む動作系統（以下、「第１の動作系統」とする）と、第２の画像データ（低解像度データ）を処理対象としている第２のライト部２２２、第２のリード部２４２、第２の加工部２５２、を含む動作系統（以下、「第２の動作系統」とする）である。
【００４９】
選択部２６０は、第１の加工部２５１によって加工された第１の画像データと、指定された背景色情報のいずれかを選択する。
【００５０】
合成部２７０は、第１の動作系統の動作で処理された画像データ（第１の画像データまたは背景色情報）と、第２の動作系統の動作で処理された画像データ（第２の画像データ（アイコン画像））とを合成して、１画面分の表示画像データを生成する。例えば、第１の加工部２５１から出力された画像データ上に、第２の加工部２５２が拡大した画像データを画素毎に上書きすることで合成する。
【００５１】
パネル駆動部２８０は、合成部２７０が合成した画像データを表示パネル３００に表示させる処理をおこなう。パネル駆動部２８０は、例えば、液晶パネル（表示パネル３００）のデータ電極を駆動するためのセグメントドライバや走査電極を駆動するためのコモンドライバなどから構成され、入力された画像データを液晶パネルの駆動電圧に変換して表示パネル３００に供給することで、表示パネル３００に画像を表示させる。
【００５２】
表示パネル３００は、パネル駆動部２８０の駆動により、合成部２７０が合成した画像データを表示出力する表示パネルである。なお、本実施形態では、バックライトを有する液晶表示パネルから構成されるものとする。この場合、バックライトの駆動制御もパネル駆動部２８０によっておこなわれるものとする。
【００５３】
本実施形態では、上述した画像データ出力部２００の構成のうち、第１のライト部２２１、第２のライト部２２２、第１のリード部２４１、第２のリード部２４２、第１の加工部２５１、第２の加工部２５２、選択部２６０、合成部２７０などが、演算回路などのハードウェアによって構成されるものとするが、これに限られず、例えば、ホストコントローラ１００がプログラムを実行することにより、これらの機能がソフトウェア処理によって実現されるよう構成してもよい。
【００５４】
上記各構成は本発明を実現するために必要な構成であり、移動体通信端末としての基本機能や付加機能のために必要なその他の構成は必要に応じて備えられているものとする。
【００５５】
このような構成を有する移動体通信端末１の動作を以下説明する。本実施形態では、省電力モードが有効となるよう設定されているものとする。省電力モードが有効となっている場合にホストコントローラ１００が実行する「省電力モード移行処理」を、図４に示すフローチャートを参照して説明する。この省電力モード移行処理は、操作部３０からホストコントローラ１００への入力がある度に開始されるものとする。
【００５６】
処理が開始されると、省電力モード処理部１１１は、例えば、ホストコントローラ１００のタイマ回路による計時機能を用いるなどして、計時を開始する（ステップＳ１０１）。すなわち、操作部３０を用いた操作後の経過時間の計時を開始する。
【００５７】
省電力モード処理部１１１は、任意に設定された省電力モードへの移行時間が経過する前に移動体通信端末１が操作された場合（ステップＳ１０２：Ｙｅｓ）、処理を終了する。この場合、省電力モード処理部１１１は、操作部３０からの入力に基づいて、移動体通信端末１が操作されたか否かを判別する。
【００５８】
一方、移動体通信端末１が操作されない場合（ステップＳ１０２：Ｎｏ）は、計時している経過時間が、設定された移行時間になるまで計時動作を続ける（ステップＳ１０３：Ｎｏ）。
【００５９】
前回の操作後から何らの操作もされずに移行時間が経過すると（ステップＳ１０３：Ｙｅｓ）、省電力モード処理部１１１は、画像データ出力部２００を制御して省電力モードに移行させる。本実施形態では、省電力モードに移行した場合、表示パネル３００のバックライトを消灯し、画像データ出力部２００の画像データ出力動作を停止させることで、移動体通信端末１が利用されていない間の消費電力の低減を図るものとする。
【００６０】
この場合における表示パネル３００の表示画面を図８に例示する。図８（ａ）は、通常表示状態での表示画面例を示す。図示するように、本実施形態では、表示画面の構成として、アイコン表示領域と画像表示領域とが設けられているものとする。ここで、アイコン表示領域には、例えば、電波強度やバッテリ残量を示すアイコン画像や、時計機能に基づく時間表示などといった、比較的小さい画像が表示される。一方、画像表示領域には、例えば、壁紙画像や各種機能に応じた画像が表示される。図８（ａ）に示すような、アイコン表示領域にも、画像表示領域にも表示がおこなわれている状態を、以下「全面表示状態」という。
【００６１】
本実施形態では、アイコン表示領域に表示する画像を低解像度データ（第２の画像データ）で用意し、画像表示領域に表示する画像を高解像度データ（第１の画像データ）で用意しているものとする。
【００６２】
そして、このような通常表示状態から省電力モードに移行した際の表示画面例を図８（ｂ）に示す。上述したように、省電力モードに移行するとバックライトを消灯して表示動作を停止させるので、図示するように、表示パネル３００に何も表示されない状態となる。図８（ｂ）に示すような、アイコン表示領域にも、画像表示領域にも表示がおこなわれていない状態を、以下「全面非表示状態」という。
【００６３】
このような省電力モードに移行する場合、省電力モード処理部１１１は、画像データ出力部２００を制御し、現在表示メモリ２３０に展開している第１の画像データを取得して設定情報格納部５４に格納する。つまり、省電力モードに移行する直前に画像表示領域に表示していた画像（以下、「前回表示画像」とする）の画像データを記憶部５０に格納する（ステップＳ１０４）。
【００６４】
次に、省電力モード処理部１１１は、表示パネル３００のバックライトを消灯させる制御信号を画像データ出力部２００に送出する。この場合、画像データ出力部２００のホストインタフェース２１０を介して、パネル駆動部２８０に制御信号が入力される。パネル駆動部２８０は、入力された制御信号に従い、表示パネル３００のバックライトを消灯させる（ステップＳ１０５）。
【００６５】
省電力モード処理部１１１はさらに、画像データ出力部２００の動作を停止させる制御信号を画像データ出力部２００に送出する。この制御信号は、ホストインタフェース２１０を介して画像データ出力部２００の各部に入力され、画像データ出力部２００における画像データ出力動作が停止する（ステップＳ１０６）。
【００６６】
このようにして、省電力モードへの移行とともに画像データ出力部２００の動作を停止させると、省電力モード処理部１１１は、その旨を状態判別部１１２に通知する。状態判別部１１２は、省電力モード処理部１１１からの通知に応じて、センサ部４０を動作させる（ステップＳ１０７）。すなわち、移動体通信端末１が省電力モードで動作している間、センサ部４０が動作するよう制御する。状態判別部１１２によってセンサ部４０の動作が開始すると、処理を終了する。
【００６７】
本実施形態では、所定の条件を満たす状態に移動体通信端末１がなった場合に省電力モードを解除する。省電力モードを解除する際の処理例を以下に説明する。まず、ユーザ操作に基づいて省電力モードを解除させる「省電力モード解除処理（１）」を、図５に示すフローチャートを参照して説明する。この省電力モード解除処理（１）は、省電力モードによる全面非表示状態のときに操作部３０が操作されたことを契機に開始される。
【００６８】
この場合、操作部３０からの入力信号がホストコントローラ１００に入力され、省電力モード処理部１１１を介して状態判別部１１２に入力される。状態判別部１１２は、操作部３０からの入力信号に基づいて、操作部３０を構成するキーのうちのいずれのキーが操作されたかを特定し（ステップＳ２０１）、省電力モードを解除するために割り当てられているキー（以下、「特定キー」とする）が操作されたか否かを判別する（ステップＳ２０２）。
【００６９】
ここで、本実施形態では、省電力モードを解除するための条件が予め規定されているものとする。このような解除条件を示す情報（以下、「解除条件情報」とする）は、設定情報として設定情報格納部５４に予め格納されている。解除条件情報の例を図９に示す。
【００７０】
図示するように、解除条件情報には移動体通信端末１の状態に応じた表示動作が設定されている。状態判別部１１２は、このような解除条件情報を参照することで、省電力モードを解除する条件に合致する状態に移動体通信端末１がなったか否かを判別する。
【００７１】
つまり、ステップＳ２０２では、ステップＳ２０１で特定したキーが、解除条件情報に規定されている特定キーであるか否かを判別することになる。
【００７２】
操作されたキーが、解除条件として既定されている特定キーでない場合（ステップＳ２０２：Ｎｏ）、省電力モードを解除する必要がないのでそのまま処理を終了する。
【００７３】
一方、操作されたキーが特定キーである場合（ステップＳ２０２：Ｙｅｓ）、状態判別部１１２は、その旨を出力動作判別部１１３に通知する。出力動作判別部１１３は、状態判別部１１２からの通知に応じて、特定キーが操作された時の出力動作を判別する。ここでは、出力動作判別部１１３が、設定情報格納部５４の解除条件情報を参照することで、省電力モードによる全面非表示状態で特定キーが操作されたときにおこなうべき出力動作を判別する（ステップＳ２０３）。
【００７４】
本実施形態では、全面非表示状態で特定キーが操作された場合、アイコン表示領域の表示はおこない、画像表示領域では背景色表示のみをおこなうものとする。よって、出力動作判別部１１３は、ステップＳ２０３において、「アイコン表示＋背景色表示」をおこなうものと判別し、その旨を出力画像選択部１１４に通知する。
【００７５】
出力画像選択部１１４は、出力動作判別部１１３からの通知に応じて、表示すべき画像データを選択する（ステップＳ２０４）。ここでは、ステップＳ２０３において「アイコン表示＋背景色表示」をおこなうことが判別されているので、出力画像選択部１１４は、低解像度画像格納領域５２からアイコン画像の画像データを選択し、背景色情報格納領域５３から所定の背景色を指定するための背景色情報（ＲＧＢ情報）を選択する。ここで、アイコン画像が電波強度やバッテリ残量を示す場合、出力画像選択部１１４は、電波強度やバッテリ残量を示す情報を移動体通信端末１の各部から取得し、それに合った画像データを低解像度画像格納領域５２から選択する。
【００７６】
出力画像選択部１１４は、このようにして出力すべき画像データを選択すると、出力装置制御部１１５に通知する。このとき、出力画像選択部１１４は、例えば、選択した画像データが格納されているアドレスなどを通知する。
【００７７】
出力装置制御部１１５は、出力画像選択部１１４からの通知に基づいて、選択された画像データと背景色情報（以下、「表示データ」とする）を記憶部５０から取得する（ステップＳ２０５）。ここでは、「アイコン表示＋背景色表示」をおこなうので、低解像度画像格納領域５２からアイコン画像データを取得するとともに、背景色情報格納領域５３から背景色情報を取得する。
【００７８】
出力装置制御部１１５は、このようにして取得した画像データに基づいて、画像データ出力部２００で動作させるべき動作系統を選択する（ステップＳ２０６）。ここでは、高解像度データ（第１の画像データ）を表示させないので、動作させるべき動作系統は第２の動作系統ということになる。
【００７９】
この場合、出力装置制御部１１５は、第２の動作系統を動作させる制御信号とともに、取得した表示データを画像データ出力部２００に送出する。
【００８０】
画像データ出力部２００では、出力装置制御部１１５から送出された制御信号に基づいて、第２の動作系統の動作がおこなわれる。つまり、制御信号とともに送出されたアイコン画像データが第２の動作系統によって処理されるとともに、背景色情報が選択部２６０に入力される（ステップＳ２０７、ステップＳ２０８）。
【００８１】
ステップＳ２０７では、第２のライト部２２２がアイコン画像データを表示メモリ２３０に展開し、第２のリード部２４２がこれを読み出す。そして、読み出されたアイコン画像データを、第２の加工部２５２が必要に応じて変倍加工して合成部２７０に送出する。
【００８２】
また、選択部２６０では、第１の画像データ（画像表示領域に表示する高解像度データ）と背景色情報とを選択するが、高解像度データが供給されていないので第１の動作系統が動作していない。よって、選択部２６０は、出力装置制御部１１５から供給された背景色情報を選択して合成部２７０に送出する。
【００８３】
合成部２７０は、第２の動作系統で処理されたアイコン画像データと、選択部２６０によって選択された背景色情報とを合成し、１画面分の画像データを生成する（ステップＳ２０９）。つまり、合成部２７０は、アイコン表示領域にアイコン画像が表示され、画像表示領域は指定された背景色が表示されるような画像データを生成する。合成部２７０は、生成した１画面分の画像データをパネル駆動部２８０に送出する。
【００８４】
パネル駆動部２８０は、合成部２７０から取得した画像データに基づく画面が表示パネル３００に表示されるよう表示パネル３００を駆動する。まず、全面非表示状態のために消灯していたバックライトを点灯させてから（ステップＳ２１０）、合成部２７０が生成した画像データに基づいて表示パネル３００を駆動し、アイコン画像と背景色の表示をおこなう（ステップＳ２１１）。
【００８５】
このときの表示画面の例を図８（ｃ）に示す。図示するように、表示パネル３００の表示画面では、アイコン表示領域にアイコン画像が表示され、画像表示領域は、指定された背景色での表示となる。このような表示状態を、以下「一部表示状態」とする。
【００８６】
このような一部表示状態となっている間は、第１の動作系統は動作せず、第２の動作系統の動作によってアイコン画像が表示されている。また、第１の動作系統が動作していないので、画像表示領域には指定された背景色のみが表示されている。１色による背景色表示では、例えば、画像表示領域の全画素で表示させる色を指定するだけでよいので、画像データを表示メモリ２３０に展開させる必要がない。よって、一部表示状態のときの画像データ出力部２００の消費電力は、全画面表示状態のときよりも低くなる。
【００８７】
本実施形態では、このような一部表示状態でさらに特定キーが操作されることで、全画面表示状態に移行することとする。ここで、上述した省電力モード移行処理（図４）は、操作部３０が操作される度に実行されるので、特定キーの操作を契機に計時動作が開始されている。よって、一部表示状態となった後に一定時間操作がないと省電力モードに移行する。この場合（ステップＳ２１２：Ｙｅｓ）は、本処理を終了し、省電力モード移行処理の動作がおこなわれる。
【００８８】
一方、省電力モードに移行する前に特定キーの操作がされた場合（ステップＳ２１２：Ｎｏ、ステップＳ２１３：Ｙｅｓ）、本実施形態では、一部表示状態から全画面表示状態に移行させる。つまり、設定情報格納部５４の解除条件情報に基づいて、一部表示状態から全画面表示状態に移行させるための特定キーが操作されたことを判別すると、出力動作判別部１１３によって、「アイコン表示＋画像表示」とする動作をおこなうべきであると判別される。
【００８９】
この場合、出力画像選択部１１４は、設定情報格納部５４にアクセスし、上述した省電力モード移行処理（図４）のステップＳ１０４で設定情報格納部５４に格納された前回表示画像の画像データを選択して（ステップＳ２１４）、出力装置制御部１１５に通知する。
【００９０】
出力装置制御部１１５は、出力画像選択部１１４からの通知に応じて、設定情報格納部５４から前回表示画像の画像データを取得する。ここで、前回表示画像は、省電力モードに移行する直前に画像表示領域に表示されていた画像であるから、その画像データは高解像度データ（第１の画像データ）である。よって、出力装置制御部１１５は、このような高解像度データの表示動作をおこなう動作系統として第１の動作系統を選択し、第１の動作系統を動作させる制御信号を生成する。出力装置制御部１１５は、生成した制御信号とともに、取得した前回表示画像の画像データを画像データ出力部２００に送出する。
【００９１】
画像データ出力部２００では、出力装置制御部１１５からの制御信号に基づき、第１の動作系統による前回表示画像（第１の画像データ）の出力動作がおこなわれる（ステップＳ２１５）。すなわち、第１のライト部２２１が前回表示画像データを表示メモリ２３０に展開し、第１のリード部２４１からそれを読み出す。そして、第１の加工部２５１が必要に応じた変倍加工をおこなって、選択部２６０に供給する。
【００９２】
本実施形態では、背景色情報と第１の画像データの双方が供給された場合、選択部２６０は第１の画像データを選択するものとする。よって、第１の動作系統が動作により前回表示画像の画像データ（第１の画像データ）が供給されている場合、選択部２６０は、前回表示画像の画像データ（第１の画像データ）を選択して合成部２７０に供給する。
【００９３】
合成部２７０は、選択部２６０から供給された前回表示画像の画像データ（第１の画像データ）と、第２の動作系統の動作によって供給されているアイコン画像データ（第２の画像データ）とを合成し（ステップＳ２１６）、パネル駆動部２８０に供給する。
【００９４】
これにより、図８（ａ）に示したような、アイコン表示領域にアイコン画像が表示され、画像表示領域に前回表示画像が表示された全画面表示状態に移行する（ステップＳ２１７）。つまり、ユーザによる特定キーの操作に応じて、全画面非表示状態から一部表示状態に移行し、さらなる特定キーの操作に応じて、一部表示状態から全画面表示状態に移行して処理を終了する。
【００９５】
このような省電力モード解除処理（１）によれば、ユーザ操作によって省電力モードを段階的に解除することができる。これにより、省電力モードによる全画面非表示状態で、例えば、時計機能の表示や電波強度、バッテリ残量などを確認したい場合は、特定キーを１回操作することで、これらを示すアイコン画像のみが表示される。このとき、画像データ出力部２００では、第１の動作系統が停止しており、画像表示領域には背景色のみが表示されているので、表示動作にかかる消費電力が低減する。
【００９６】
ここで、ユーザが全画面表示状態を所望するのであれば、さらに特定キーを操作すればよい。このような動作とすることで、省電力モードからの解除動作をおこなうと、消費電力の低い一部表示状態に必ず移行し、必要なときのみ全画面表示状態に移行させるので、例えば、１回の解除動作で全画面表示状態に移行する動作と比べてより効果的な消費電力低減を図ることができる。
【００９７】
本実施形態では、ユーザ操作による省電力モードの解除に加え、センサ部４０の検出に基づく自動解除をおこなう。このような自動解除の動作を以下説明する。まず、センサ部４０が加速度センサによって構成されている場合に実行される「省電力モード解除処理（２）」を、図６に示すフローチャートを参照して説明する。この省電力モード解除処理（２）は、上述した省電力モード移行処理（図４）によって省電力モードに移行したことを契機に開始されるものとする。なお、本実施形態では、ユーザが移動体通信端末１を手に取ったときに省電力モードを自動解除させるよう予め設定されているものとする。
【００９８】
処理が開始されると、状態判別部１１２は、センサ部４０の加速度センサから送出される加速度検出値のモニタリングを開始する（ステップＳ３０１）。つまり、上述した省電力モード移行処理（図４）のステップＳ１０７で、センサ部４０の検出動作が開始されているので、省電力モードへの移行とともに、センサ部４０の検出値が状態判別部１１２に入力される。状態判別部１１２は、このようにして入力される検出値のモニタリングを開始し、検出値に変化がないか判別する。
【００９９】
上述したように、センサ部４０の加速度センサは、移動体通信端末１に生じる加速度を検出するが、本実施形態では、この加速度によって、移動体通信端末１が動かされたか否かを判別するものとする。よって、移動体通信端末１が静止している状態では、移動体通信端末１に加速度が生じず、検出値が一定の状態が続くことになる。一方、例えば、机上などに載置していた移動体通信端末１をユーザが手に取った場合などには、移動体通信端末１に加速度が生じ、一定だった検出値が変化することになる。
【０１００】
状態判別部１１２は、このような検出値の変化が発生した場合、設定情報格納部５４に格納されている解除条件情報を参照し、検出された加速度が、条件値として設定されている加速度以上であるか否かを判別する（ステップＳ３０２）。ここで、条件値として設定される加速度は、静止している移動体通信端末１をユーザが手に取ったときに生じる加速度であるものとする。よって、状態判別部１１２は、センサ部４０から取得した加速度検出値に基づいて、ユーザが移動体通信端末１を手に取った状態となったか否かを判別することになる。
【０１０１】
検出された加速度が条件値以上でない場合（ステップＳ３０２：Ｎｏ）、ユーザが移動体通信端末１を手に取った状態になっていないと推定されるので、省電力モードを解除する必要がない。よって、この場合は検出値のモニタリングを継続する。
【０１０２】
一方、条件値以上の加速度が検出された場合（ステップＳ３０２：Ｙｅｓ）、上述した省電力モード解除処理（１）（図５）のステップＳ２０３〜Ｓ２１１と同様の処理をおこなうことで、全画面非表示状態から一部表示状態に移行させる（ステップＳ３０３）。つまり、ユーザが移動体通信端末１を手に取った状態となった場合、アイコン表示領域にアイコン画像が表示され、画像表示領域には背景色のみが表示された一部表示状態となる。
【０１０３】
本実施形態では、このような、加速度に基づく自動移行による一部表示状態で特定キーが操作されると、省電力モード解除処理（１）の場合と同様に、全画面表示状態に移行させるものとする。よって、省電力モードに移行する前に特定キーの操作がされると（ステップＳ３０４：Ｎｏ、ステップＳ３０５：Ｙｅｓ）、省電力モード解除処理（１）（図５）のステップＳ２１４〜Ｓ２１７と同様の処理をおこなうことで、一部表示状態から全画面表示状態に移行させ（ステップＳ３０６）、処理を終了する。
【０１０４】
このような省電力モード解除処理（２）によれば、ユーザが移動体通信端末１を手に取った場合に、全画面非表示状態から一部表示状態に自動的に移行する。このような移動体通信端末１の状態は、ユーザが移動体通信端末１を使用する場合に発生することが考えられるが、ユーザが移動体通信端末１の各機能を使用する場合の他に、単に時計表示などを確認するために手に取ることもある。よって、ユーザが移動体通信端末１を手に取ったことを検出すると、まず、アイコン画像のみを表示した一部表示状態に移行させ、さらにユーザが全画面表示状態を所望する場合には、ユーザによる特定キーの操作に応じて移行させる。
【０１０５】
これにより、全画面表示状態よりも消費電力の低い一部表示状態に必ず移行するので、ユーザが移動体通信端末１を手に取ったことを契機に全画面表示状態にしてしまうよりも効果的な消費電力の低減を図ることができる。また、ユーザが移動体通信端末１を手に取るだけで一部表示状態に自動的に移行するので、アイコン表示を見たい場合などにキー操作をおこなう必要がなく、利便性が高い。
【０１０６】
次に、センサ部４０が光センサで構成されている場合に省電力モードの自動解除をおこなうための「省電力モード解除処理（３）」を、図７に示すフローチャートを参照して説明する。この省電力モード解除処理（３）は、上述した省電力モード移行処理（図４）によって省電力モードに移行したことを契機に開始されるものとする。なお、本実施形態では、光センサの検出値を用いることで、移動体通信端末１の周囲の明るさの変化（例えば、カバンなどの暗部から取り出された場合など）を契機に省電力モードを自動的に解除する動作をおこなうものとする。よって、本実施形態では、移動体通信端末１の周囲の明るさが変化（暗→明）した場合に省電力モードを自動解除させるよう予め設定されているものとする。
【０１０７】
処理が開始されると、状態判別部１１２は、センサ部４０の光センサから送出される、移動体通信端末１の周囲の明るさを示す検出値のモニタリングを開始する（ステップＳ４０１）。つまり、上述した省電力モード移行処理（図４）のステップＳ１０７で、センサ部４０の検出動作が開始されているので、省電力モードへの移行とともに、センサ部４０の検出値が状態判別部１１２に入力される。状態判別部１１２は、このようにして入力される検出値のモニタリングを開始する。
【０１０８】
検出値のモニタリングを開始すると、状態判別部１１２はまず、移動体通信端末１が暗部にあるか否かを判別する（ステップＳ４０２）。つまり、カバンなどの暗部から取り出されたときに省電力モードを解除するので、解除動作をおこなうには、移動体通信端末１が暗部になければならない。よって、カバン内部などの暗部の明るさ（暗さ）を示す値を条件値とし、状態判別部１１２は、移動体通信端末１の周囲の明るさがこの条件値以下であるか否かを判別する。このような、暗部を示す条件値は予め設定され、設定情報として設定情報格納部５４に格納されているものとする。よって、状態判別部１１２は、光センサの検出値と設定情報の条件値とを比較することで、移動体通信端末１が暗部にあるか否かを判別する。
【０１０９】
移動体通信端末１が暗部にない場合（ステップＳ４０２：Ｎｏ）、周囲の明るさに基づく自動解除動作はおこなえないので、状態判別部１１２は、検出値のモニタリングを継続する。
【０１１０】
一方、移動体通信端末１がカバン内部などの暗部にある場合（ステップＳ４０２：Ｙｅｓ）、状態判別部１１２は、モニタリングしている光センサの検出値に基づいて、カバン内部などの暗部から取り出されたか否かを判別する（ステップＳ４０３）。この場合、状態判別部１１２は、例えば、暗部の条件値として設定されている明るさより所定値分明るいか否かを判別することで、暗部から取り出されたか否かを判別する。
【０１１１】
暗部から取り出されていない場合（ステップＳ４０３：Ｎｏ）、省電力モードを解除する必要がないので、状態判別部１１２は、検出値のモニタリングを継続する。
【０１１２】
一方、移動体通信端末１が暗部から取り出されたことが判別された場合（ステップＳ４０３：Ｙｅｓ）、上述した省電力モード解除処理（１）（図５）のステップＳ２０３〜Ｓ２１１と同様の処理をおこなうことで、全画面非表示状態から一部表示状態に移行させる（ステップＳ４０４）。つまり、移動体通信端末１が暗部から取り出された状態になった場合、アイコン表示領域にアイコン画像が表示され、画像表示領域には背景色のみが表示された一部表示状態となる。
【０１１３】
本実施形態では、このような、周囲の明るさに基づく自動移行による一部表示状態で特定キーが操作されると、省電力モード解除処理（１）の場合と同様に、全画面表示状態に移行させるものとする。よって、省電力モードに移行する前に特定キーの操作がされると（ステップＳ４０５：Ｎｏ、ステップＳ４０６：Ｙｅｓ）、省電力モード解除処理（１）（図５）のステップＳ２１４〜Ｓ２１７と同様の処理をおこなうことで、一部表示状態から全画面表示状態に移行させ（ステップＳ４０７）、処理を終了する。
【０１１４】
このような省電力モード解除処理（３）によれば、カバン内部などの暗部から移動体通信端末１が取り出された場合に、全画面非表示状態から一部表示状態に自動的に移行する。このような移動体通信端末１の状態は、ユーザが移動体通信端末１を使用する場合に発生することが考えられるが、ユーザが移動体通信端末１の各機能を使用する場合の他に、単に時計表示などを確認するために手に取ることもある。よって、移動体通信端末１が暗部から取り出されたことを検出すると、まず、アイコン画像のみを表示した一部表示状態に移行させ、さらにユーザが全画面表示状態を所望する場合には、ユーザによる特定キーの操作に応じて移行させる。
【０１１５】
これにより、全画面表示状態よりも消費電力の低い一部表示状態に必ず移行するので、移動体通信端末１が暗部から取り出されたことを契機に全画面表示状態にしてしまうよりも効果的な消費電力の低減を図ることができる。また、移動体通信端末１が暗部から取り出されるだけで一部表示状態に自動的に移行するので、アイコン表示を見たい場合などにキー操作をおこなう必要がなく利便性が高い。
【０１１６】
以上説明したように、本発明を上記実施形態の如く適用することで、適合する解像度によってサイズの異なる画像データを合成して表示する場合に、画像データのメモリへの展開・読み出しや加工（拡大、縮小、補正、など）にかかる動作系統を画像サイズに応じて複数用意し、移動体通信端末１の状態に応じて、いずれかの動作系統のみを動作させるので、表示動作にかかる消費電力を効果的に低減させることができる。
【０１１７】
ここで、例えば、高解像度データ（第１の画像データ）がＶＧＡ解像度に適合し、低解像度データ（第２の画像データ）がＱＶＧＡ解像度に適合している場合、第２の動作系統を動作させて一部表示状態とした場合、全画面表示状態と比べ、表示メモリ２３０に展開するデータ量が約１／２０程度に減少するので、消費電力の低減に加え、描画速度も向上する。
【０１１８】
この場合、画像表示領域の表示は、単色の背景色表示のみなので、画像データを表示メモリ２３０に展開したり、画像データの加工をおこなう必要がないので、消費電力の低減とともに、描画速度の向上を図ることができる。
【０１１９】
また、加速度センサや光センサの検出値に基づいて、全画面非表示状態から自動的に復帰させるので、ユーザ操作の手間がなく利便性が高い。つまり、ユーザが移動体通信端末１を利用するために手に取ったり、カバンなどの暗部から取り出すだけで、自動的に全画面非表示状態が解除されるので、ユーザが何らかの操作をすることなく、アイコン表示を確認することができる。
【０１２０】
そして、全画面非表示状態から復帰する場合、必ず一部表示状態に復帰させ、さらなるユーザ操作に基づいて全画面表示状態に復帰させるので、より効果的な消費電力の低減を図ることができる。
【０１２１】
上記実施形態は一例であり、本発明の適用範囲はこれに限られない。すなわち、種々の応用が可能であり、あらゆる実施の形態が本発明の範囲に含まれる。
【０１２２】
例えば、上記実施形態では、加速度センサが検出する加速度に基づいて、ユーザが移動体通信端末１を手に取った状態となったか否かを判別したが、このような状態を判別できるのであれば、用いる検出値は加速度に限られず任意である。
【０１２３】
同様に、カバン内部の暗部から取り出されたか否かを判別できるのであれば、光センサの検出値を用いる方法に限られず、任意の方法を採用することができる。
【０１２４】
また、全画面非表示状態から一部表示状態に移行する条件は、上記実施形態で示した例に限られず任意である。例えば、移動体通信端末１が折りたたみ式の筐体で構成されている場合、折りたたまれた筐体が展開されたことを契機に表示状態を移行させてもよい。この場合は、筐体の折りたたみ状態を検出するセンサによってセンサ部４０を構成することで、センサ部４０の検出結果に基づいた表示状態の移行をおこなうことができる。
【０１２５】
なお、上記実施形態では、本発明を移動体通信端末に適用した場合を例示したが、移動体通信端末に限られず、種々の携帯型電子機器（例えば、ＰＤＡ（Personal Digital Assistants：携帯情報端末）、デジタルカメラ、パーソナルコンピュータ、など）に本発明を適用することができる。
【０１２６】
また、上記実施形態で示した移動体通信端末１のように、本発明にかかる機能を予め備えた装置として提供可能であることはもとより、上述したホストコントローラ１００や画像データ出力部２００の機能を実現するためのプログラムを適用することで、既存の装置を本発明にかかる装置として機能させることもできる。
【０１２７】
この場合にプログラムを適用する方法は任意であり、例えば、ＤＶＤ（Digital Versatile Disk）やメモリカードなどの記憶媒体に格納して配布可能であることはもとより、例えば、インターネットなどの通信媒体を介してプログラムを配布し、装置の制御するコンピュータ（ＣＰＵなど）によって実行可能に適用すればよい。
【図面の簡単な説明】
【０１２８】
【図１】本発明の実施形態にかかる移動体通信端末の構成を示すブロック図である。
【図２】図１に示すホストコントローラによって実現される機能を示す機能ブロック図である。
【図３】図１に示す画像データ出力部の構成を示すブロック図である。
【図４】本発明の実施形態にかかる「省電力モード移行処理」を説明するためのフローチャートである。
【図５】本発明の実施形態にかかる「省電力モード解除処理（１）」を説明するためのフローチャートである。
【図６】本発明の実施形態にかかる「省電力モード解除処理（２）」を説明するためのフローチャートである。
【図７】本発明の実施形態にかかる「省電力モード解除処理（３）」を説明するためのフローチャートである。
【図８】本発明の実施形態にかかる表示状態を説明するための図であり、（ａ）は全画面表示状態の画面表示例を示し、（ｂ）は全画面非表示状態の画面表示例を示し、（ｃ）は一部表示状態の画面表示例を示す。
【図９】図１に示す設定情報格納部に格納される解除条件情報の例を示す図である。
【符号の説明】
【０１２９】
１…移動体通信端末、１０…通信制御部、１１…アンテナ、２０…音声処理部、２１…スピーカ、２２…マイクロフォン、３０…操作部、４０…センサ部、５０…記憶部、５１…高解像度画像格納領域、５２…低解像度画像格納領域、５３…背景色情報格納領域、５４…設定情報格納部、５５…プログラム格納領域、１００…ホストコントローラ、１１１…省電力モード処理部、１１２…状態判別部、１１３…出力動作判別部、１１４…出力画像選択部、１１５…出力装置制御部、２００…画像データ出力部、２１０…ホストインタフェース、２２１…第１のライト部、２２２…第２のライト部、２３０…表示メモリ、２４１…第１のリード部、２４２…第２のリード部、２５１…第１の加工部、２５２…第２の加工部、２６０…選択部、２７０…合成部、２８０…パネル駆動部、３００…表示パネル
【図１】
2008060815.tif 000003
【図２】
2008060815.tif 000004
【図３】
2008060815.tif 000005
【図４】
2008060815.tif 000006
【図５】
2008060815.tif 000007
【図６】
2008060815.tif 000008
【図７】
2008060815.tif 000009
【図８】
2008060815.tif 000010
【図９】
2008060815.tif 000011